(57)【要約】【課題】  通常撮影とマクロ撮影とに対応した撮像装置において、いずれの撮影モードであるかの表示を切り換えるスイッチング手段を簡素な構成で実現する。【解決手段】  レバー１７を操作することで移動リング１３を光軸中心に回転させレンズ５を支持するレンズホルダー１２を光軸方向に移動させ、かつ、鏡筒３の第１の規制部材７と第２の規制部材８とで光軸方向の移動が規制されることで通常撮影とマクロ撮影とに対応した撮像装置において、いずれの撮影モードであるかの表示の切り替えのためのスイッチング手段として、移動リング１３を第２の規制部材８のカム面１１に付勢・当接させる板ばね１０と、第１の規制部材７に設けた接点基板２０とで構成する。板ばね１０はレバー１７の操作にともない、接点基板上の固定接点間を導通／非導通に切り換える。【選択図】  図１
2006276382.tif 000002
【特許請求の範囲】
【請求項１】
基板に実装された撮像素子と、前記撮像素子に対して相対位置固定に前記基板上に固定される鏡筒と、レンズを保持し前記鏡筒に対して光軸方向に移動可能なレンズホルダーと、前記鏡筒に設けられ前記レンズホルダーの光軸方向への移動を光軸方向両側から規制する２つの規制部材と、前記両規制部材の一方と前記レンズホルダーとの間に設けられ前記レンズホルダーを前記両規制部材の他方に付勢しかつ前記レンズホルダーとともに光軸中心に回転する導電性材料を含む付勢部材と、前記両規制部材の他方に形成され前記レンズホルダーの光軸中心の回転動作により該レンズホルダーを第１の位置及びこの第１の位置から光軸方向に移動した第２の位置に移動させるカムと、前記レンズホルダーが第１の位置における回転位置にあるか、第２の位置における回転位置にあるかによってスイッチオン／オフを切り換えるスイッチング手段とを少なくとも備え、
前記スイッチング手段は、前記付勢部材と、前記一方の規制部材の前記付勢部材との接合面に設けられる少なくとも２つの固定接点とからなり、前記付勢部材が前記２つの固定接点間を導通／非導通に切り換えることを特徴とする撮像装置。
【請求項２】
前記一方の規制部材の前記付勢部材との接合面に基板が設けられ、この基板上に前記固定接点が設けられることを特徴とする請求項１に記載の撮像装置。
【発明の詳細な説明】
【技術分野】
【０００１】
本発明は、ＣＣＤ、ＣＭＯＳ等の固体撮像素子を備えた撮像装置に関し、詳しくは、通常撮影の他にマクロ撮影にも対応した撮像装置に関する。
【背景技術】
【０００２】
ＣＣＤやＣＭＯＳ等の固体撮像素子を搭載した撮像装置には、固定焦点位置のレンズを用いつつ、５〜１０センチメートル程度まで被写体に近接して撮影する、いわゆるマクロ撮影に対応したものがある。すなわち、数メートル以上離れた被写体を撮影する通常撮影と、上記マクロ撮影の２モードに対応し、付加価値を向上させている。
【０００３】
このような撮像装置は、主として、固体撮像素子を内包した鏡筒と、固定焦点のレンズを支持するレンズホルダーとで構成される。レンズホルダーは鏡筒に形成されたカム面に当接しているとともに、このカム面に当接する方向にバネ等により付勢されており、この状態でレンズホルダーに付設されたレバーを操作し光軸中心に回転させると、レンズホルダーは鏡筒のカム面に沿って光軸方向に移動し、固体撮像素子とレンズとの相対距離が変化する。このような構成で、レバーを所定の位置に操作することで、マクロ撮影モードか、通常撮影モードかを選択できるよう、カム面の形状を適切に設定する（例えば特許文献１）。
【０００４】
以上の撮像装置を搭載した撮像機器を使用するとき、撮影に入る前に、その時点でユーザーが希望する撮影モードになっているかどうかを、レバーの位置を視認することで確認する必要がある。
【０００５】
しかし、例えばカメラ付き携帯電話機などのユーザーの間では、煩わしい操作や確認等を極力省いて手軽に撮影したいという要望が強く、撮影直前にレバーがどちらの位置になっているかをいちいち確認することすら敬遠される。
【０００６】
そこで、いずれのモードになっているかを視覚に訴えやすいよう、撮像機器上に表示灯を設け、各モードに応じて表示を切り換えることが考えられる。具体的には、レバー動作に連動して表示灯の表示を切り換えるスイッチング手段を設ける。スイッチング手段としては、前記レバーおよびレンズホルダーの回転動作に連動して光軸中心に回転する可動接点体と、基板上に設けられこの可動接点体が摺接する固定接点パターンとで構成し、各撮影モードにおけるレバーの位置に応じて表示灯が適切に点灯するよう、接点パターンの配置を工夫する（例えば特許文献２）。
【特許文献１】特開２００４−２５２０６０号公報
【特許文献２】特開平１１−２１８８２９号公報
【発明の開示】
【発明が解決しようとする課題】
【０００７】
しかしながら、特許文献２に開示された構成では、モード表示切り換えのためのスイッチング手段を別途にレンズまわりに装着する必要があり、また、このスイッチング手段のための余分なスペースも必要になってしまう。そのため、とくに撮像装置を携帯電話機などの各種携帯機器に搭載する場合、こうした構造を採用するのはスペース的に非常に困難でコストもかかる。
【０００８】
したがって、本発明は、通常撮影とマクロ撮影とに対応した撮像装置において、いずれの撮影モードであるかの表示を切り換えるスイッチング手段を簡素な構成で実現することを目的とする。
【課題を解決するための手段】
【０００９】
本発明の撮像装置は、基板に実装された撮像素子と、前記撮像素子に対して相対位置固定に前記基板上に固定される鏡筒と、レンズを保持し前記鏡筒に対して光軸方向に移動可能であってかつ光軸中心に回転可能なレンズホルダーと、前記鏡筒に設けられ前記レンズホルダーの光軸方向への移動を光軸方向両側から規制する２つの規制部材と、前記両規制部材の一方と前記レンズホルダーとの間に設けられ前記レンズホルダーを前記両規制部材の他方に付勢しかつ前記レンズホルダーとともに光軸中心に回転する導電性材料を含む付勢部材と、前記両規制部材の他方に形成され前記レンズホルダーの光軸中心の回転動作により該レンズホルダーを第１の位置及びこの第１の位置から光軸方向に移動した第２の位置に移動させるカムと、前記レンズホルダーが第１の位置における回転位置にあるか、第２の位置における回転位置にあるかによってスイッチオン／オフを切り換えるスイッチング手段とを少なくとも備え、前記スイッチング手段は、前記付勢部材と、前記一方の規制部材の前記付勢部材との接合面に設けられる少なくとも２つの固定接点とからなり、前記付勢部材が前記２つの固定接点間を導通／非導通に切り換えることを特徴としている。
【００１０】
この構成によれば、従来例のスイッチング手段における可動接点体を付勢部材により構成しており、レンズホルダーの光軸方向動作を規制する規制部材にこの可動接点体が摺接する固定接点を設けているので、レンズホルダーの第１の位置（例えばマクロ撮影）か、レンズホルダーの第２の位置（例えば通常撮影）かに応じて表示を切り換えるスイッチング手段を設けるための新たなスペースを特別に必要とせず、しかも、スイッチング手段を設置する上で新たに追加すべき部品点数も少なくて済み（固定接点のみ）、各種携帯機器に搭載するうえで非常に有利で、しかもマクロ撮影か通常撮影かをわかりやすく表示するためのスイッチを備えた撮像装置を得ることができる。
【００１１】
なお、付勢部材は、金属などの導電性材料が好ましいが、樹脂等であっても、固定接点との摺接部分が導電性材料により導通されていればよい。
【００１２】
また、前記一方の規制部材の前記付勢部材との接合面に基板が設けられ、この基板上に前記固定接点が設けられていてもよい。この構成によれば、鏡筒の規制部材に固定接点を設ける上で、該箇所に基板を設置するだけでよいので、組立作業性が向上する。
【発明の効果】
【００１３】
以上のように、本発明の撮像装置によれば、従来例のスイッチング手段における可動接点体を付勢部材により構成しており、レンズホルダーの光軸方向動作を規制する規制部材にこの付勢部材が摺接する固定接点を設けているので、レンズホルダーが通常撮影の位置か、マクロ撮影の位置かに応じて表示を切り換えるスイッチング手段を設けるための新たなスペースを特別に必要とせず、しかも、スイッチング手段を設置する上で新たに追加すべき部品点数も少なくて済み、各種携帯機器に搭載するうえで非常に有利で、しかもマクロ撮影か通常撮影かをわかりやすく表示するためのスイッチを備えた撮像装置を得ることができる。
【発明を実施するための最良の形態】
【００１４】
本発明の実施の形態について、図１から図５を用いて説明する。
【００１５】
図１に示す撮像装置は、基板１に実装された撮像素子２と、この撮像素子２に対して相対位置固定に前記基板１上に接着固定される鏡筒３と、この鏡筒３に取り付けられ撮像素子２の受光部４上に被写体画像を結像させる固定焦点のレンズ５を内嵌し保持するレンズホルダー６とを備える。
【００１６】
鏡筒３は、レンズホルダー６を光軸方向に移動可能に、かつ、光軸中心に回転可能に支持しており、レンズホルダー６の光軸方向の移動を被写体側から規制する第１の規制部材７と、撮像面側から規制する第２の規制部材８とを備えている。第１の規制部材７は、鏡筒本体３０とは別部材で構成されており、図２および図３に示すように、鏡筒本体３０の係合爪３１に係合部７ａを係合させて鏡筒本体３０の被写体側に取り付けられている。第２の規制部材８は、鏡筒本体３０の内周に一体に形成されている。第１の規制部材７の撮像面側には後述する接点基板２０が設けられ、この接点基板２０に当接する形で付勢部材としてのリング状の板ばね１０が設置されており、レンズホルダー６を撮像面側に向けて付勢している。そして第２の規制部材８の被写体側の面には、レンズホルダー６が摺接するカム面１１が形成されている。
【００１７】
レンズホルダー６は、上記のレンズ５を直接内嵌して支持するレンズバレル１２と、このレンズバレル１２と一体となって動作する移動リング１３とからなる。
【００１８】
レンズバレル１２は、略円筒状に形成され、内嵌するレンズ５を基端部（撮像面側）の鍔部１４にて位置決めしており、さらにレンズ５の被写体側には絞り１５が設置されている。レンズバレル１２の外周には雄ねじ１６が形成されている。
【００１９】
移動リング１３は、鏡筒３に対して光軸方向に移動可能に、かつ、光軸中心に回転可能に支持されており、撮像面側が第２の規制部材８のカム面１１に摺接している。移動リング１３の外周の一箇所には、この移動リング１３を回転させるためのレバー１７が設けられており、このレバー１７は、鏡筒３の開口１８から突出して鏡筒３の外部に露出している。移動リング１３の内周にはレンズバレル１２の雄ねじ１６が螺合する雌ねじ１９が形成されている。
【００２０】
レンズバレル１２の雄ねじ１６と移動リング１３の雌ねじ１９とが螺合されて両者は一体となって、鏡筒３に対して光軸方向に移動可能に、かつ、光軸中心に回転可能となる。そして、この螺合構造により、移動リング１３を固定しつつレンズバレル１２のみを回転させることにより、レンズ位置の初期調整を行うことができる。かかる初期調整の後、螺合部分は接着してもよいし、後のメンテナンスのために接着しなくてもよい。
【００２１】
以上の構成の撮像装置は、レンズバレル１２のレバー１７を操作しレンズホルダー６を光軸中心に回転させることにより、鏡筒３の第２の規制部材８に設けたカム面１１に沿ってレンズホルダー６が光軸方向に移動する。そして、レバー１７の所定の位置に応じてレンズホルダー６の光軸上の位置を、第１の位置か第２の位置かに合わせられるよう、第２の規制部材８のカム面１１を適切に形成する。例えば、図２において、第１の位置を通常撮影位置、第２の位置をマクロ撮影位置とし、レバー１７が図中実線位置に位置するときはレンズホルダー６が通常撮影位置になるよう、そしてレバー１７が図中点線位置に位置するときはレンズホルダー６がマクロ撮影位置になるよう、カム面１１を形成する。
【００２２】
本実施の形態では、上記レバー１７が通常撮影位置かマクロ撮影位置かによってスイッチオン／オフを切り換えるスイッチング手段を設けている。このスイッチング手段は、上記板ばね１０と、第１の規制部材７に設けた接点基板２０とで構成される。
【００２３】
板ばね１０は、導電性材料からなり、図４に示すように、ウェーブワッシャー状に形成され、周方向３箇所に均等に設けられた第１から第３の各凸部１０ａ、１０ｂ、１０ｃと、これら凸部同士の各中間位置に設けられた第１から第３の各凹部１０ｄ、１０ｅ、１０ｆとからなる。うち特定一箇所の凹部１０ｅは、レンズホルダー６のレバー１７に係合し、板ばね１０はレンズホルダー６の回転動作と連動して光軸中心に回転する。
【００２４】
接点基板２０は、図１に示すように、第１の規制部材７の撮像面側に貼り付けられている。そして、図２および図３に示すように、板ばね１０と対向する側の表面には接点パターン２１が形成されている。なお、図２において、接点基板２０を透過して接点パターン２１および板ばね１０が見えるよう、接点パターン２１および板ばね１０を実線で示している。接点パターンとしては、図２に示すように、２つのメイン端子２１ａ、２１ｂと、ダミー端子２１ｃ、２１ｄとを形成している。
【００２５】
板ばね１０がレンズホルダー６の光軸中心の回転動作に伴って回転移動すると、板ばね１０の各凸部１０ａ、１０ｂ、１０ｃが接点基板２０の接点パターン２１上を摺接しながら回転移動する。そして、レンズホルダー６のレバー１７が通常撮影位置か、マクロ撮影位置かによって、２つのメイン端子２１ａ，２１ｂ間が導通／遮断されるようになっている。
【００２６】
具体的に、レバー１７が図中実線位置にあるときは、板ばね１０の第１の凸部１０ａはダミー端子２１ｃ上にあり、第２の凸部１０ｂはメイン端子２１ａ上に、第３の凸部１０ｃはダミー端子２１ｄ上にある。このとき、２つのメイン端子２１ａと２１ｂとは導通せず、スイッチオフ状態となる。つまり、スイッチオフでレンズホルダー６は通常撮影位置にあることになる。
【００２７】
そして、レバー１７が図中点線位置に移動すると、板ばね１０の第１の凸部１０ａはメイン端子２１ｂ上に移動し、第２の凸部１０ｂはメイン端子２１ａ上のまま、第３の凸部１０ｃはダミー端子２１ｄ上のままとなる。このとき、２つのメイン端子２１ａと２１ｂ２１とが導通し、スイッチオン状態となる。つまり、スイッチオンでレンズホルダー６はマクロ撮影位置にあることになる。
【００２８】
なお、ダミー端子２１ｃ、２１ｄは、メイン端子２１ａ，２１ｂの表面が接点基板２０本体（端子２１ａ、２１ｂ，２１ｃ，２１ｄのいずれも形成されていない部分）からやや突出して形成されることを考慮したものであり、例えば板ばね１０の各凸部１０ａ、１０ｂ、１０ｃのいずれかがメイン端子２１ａ、２１ｂ上に位置しないとき、メイン端子２１ａ、２１ｂの突出分だけ板ばねが傾くこととなるが、ダミー端子２１ｃ、２１ｄを置くことにより、このような傾きがなくなる。
【００２９】
以上より、本実施の形態の撮像装置によれば、従来例のスイッチング手段における可動接点体を付勢部材としての板ばね１０により構成しており、レンズホルダー６の光軸方向動作を規制する第１の規制部材７にこの板ばね１０が摺接する接点基板２０を設けているので、レンズホルダー６の第１の位置（例えばマクロ撮影の位置）か、レンズホルダー６の第２の位置（例えば通常撮影の位置）かに応じて表示を切り換えるスイッチング手段を設けるための新たなスペースを特別に必要とせず、しかも、スイッチング手段を設置する上で新たに追加すべき部品点数も少なくて済み（接点基板２０のみ）、小型の各種携帯機器に搭載するうえで非常に有利で、しかもマクロ撮影か通常撮影かをわかりやすく表示するためのスイッチを備えた撮像装置を得ることができる。
【００３０】
なお、本発明はもちろん、上述した実施の形態に限定されるものではなく、その他、あらゆる用途に適用可能である。
【産業上の利用可能性】
【００３１】
本発明は、通常撮影とマクロ撮影とに対応した撮像装置に好適であり、とくに撮影操作の簡便性が求められる携帯電話機などの各種携帯機器において、通常撮影かマクロ撮影かをわかりやすく表示するためのスイッチを簡素な構成で搭載するうえで好適である。
【図面の簡単な説明】
【００３２】
【図１】本発明の実施の形態１に係る撮像装置の側断面図
【図２】図１の撮像装置のＡ−Ａ矢視相当断面図
【図３】図１のスイッチング手段の分解斜視図
【図４】板ばねの上面図
【図５】板ばねの側面図
【符号の説明】
【００３３】
１      基板
２      撮像素子
３      鏡筒
５      レンズ
６      レンズホルダー
７      規制部材
８      規制部材
１０    板ばね
１１    カム面
１２    レンズバレル
１３    移動リング
１４    鍔部
１５    絞り
１７    レバー
２０    接点基板
２１    固定端子
【図１】
2006276382.tif 000003
【図２】
2006276382.tif 000004
【図３】
2006276382.tif 000005
【図４】
2006276382.tif 000006
【図５】
2006276382.tif 000007